(57)【特許請求の範囲】
【請求項１】
行列状に組み合わされて配列された第１及び第２の配色部からなる表示部と、
前記表示部上に等間隔で行列状に配列された複数のエンボスとを有し、
前記第１の配色部は、前記エンボスの麓部または前記エンボス間に配され、
前記第２の配色部は、前記エンボスの麓部または前記エンボス間以外の前記エンボスの頂点を含む領域に配されている偽造防止シート。
【請求項２】
基材表面に行列状に組み合わされて配列された第１及び第２の配色部からなる表示部と、
前記表示部上に等間隔で行列状に配列された複数のエンボスとを有し、
前記複数のエンボスは、前記基材表面に平行な任意の中心線にて分離される２つの領域のそれぞれで前記第１の配色部と前記第２の配色部との面積が互いに異なるように配されている偽造防止シート。
【発明の詳細な説明】
【技術分野】
【０００１】
本発明は、偽造防止シート等の偽造防止媒体に関し、特に、観察方向の制限を緩和するための技術に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、真偽判別ができなくなる虞れがある。
【０００７】
本発明は、上述したような従来の技術が有する問題点に鑑みてなされたものであって、観察方向に制限されることなく真偽判別を容易に行うことができる偽造防止媒体を提供することを目的とする。
【課題を解決するための手段】
【０００８】
上記目的を達成するために本発明は、
行列状に組み合わされて配列された第１及び第２の配色部からなる表示部と、
前記表示部上に等間隔で行列状に配列された複数のエンボスとを有し、
前記第１の配色部は、前記エンボスの麓部または前記エンボス間に配され、
前記第２の配色部は、前記エンボスの麓部または前記エンボス間以外の前記エンボスの頂点を含む領域に配されている。
【０００９】
上記のように構成された本発明においては、正面から観察した場合、表示部においては第１の配色部と第２の配色部とによる色彩が認識される。この際、表示部には複数のエンボスが行列状に配列されているが、正面から観察した場合は、エンボスは認識されずに第１の配色部と第２の配色部とが認識されるだけである。この状態から観察方向を表示部に対して鋭角をなす方向に変化させていくと、エンボスの麓部やエンボス間の領域がそのエンボスの観察方向側に隣接するエンボスによって隠れて見えなくなっていき、頂点を含む領域のみが見えるような状態となる。ここで、表示部を構成する第１の配色部は、エンボスの麓部または複数のエンボス間に配されているため、観察方向を変化させていくことによりエンボスの麓部やエンボス間の領域が見えなくなっていくと、第１の配色部が認識されにくくなくなっていく。また、表示部を構成する第２の配色部は、エンボスの頂点を含む領域に配されているため、観察方向を変化させていくことによりエンボスの麓部やエンボス間の領域が見えなくなっていっても、第２の配色部は認識されたままとなる。そのため、表示部においては、第１の配色部と第２の配色部とによる色彩であって、正面から観察した場合と比べて第２の配色部の割合が大きな色彩が認識されることとなる。
【００１０】
このように、正面から観察した場合と、観察方向を正面から変化した場合とで表示部にて認識される色彩が変化することで真偽判別が可能となる。
【００１１】
また、基材表面に行列状に組み合わされて配列された第１及び第２の配色部からなる表示部と、
前記表示部上に等間隔で行列状に配列された複数のエンボスとを有し、
前記複数のエンボスは、前記基材表面に平行な任意の中心線にて分離される２つの領域のそれぞれで前記第１の配色部と前記第２の配色部との面積が互いに異なるように配されている。
【００１２】
上記のように構成された本発明においては、正面から観察した場合、表示部においては第１の配色部と第２の配色部とによる色彩が認識される。この際、表示部には複数のエンボスが行列状に配列されているが、正面から観察した場合は、エンボスは認識されずに第１の配色部と第２の配色部とが認識されるだけである。この状態から観察方向を表示部に対して鋭角をなす方向に変化させていくと、エンボスの頂点領域を含む観察方向のみが見えるような状態となっていく。ここで、エンボスは、基材表面に平行な任意の中心線にて分離される２つの領域のそれぞれで第１の配色部と第２の配色部との面積が互いに異なるように配されているので、観察方向における第１の配色部と第２の配色部との面積の割合に応じた色彩が認識されるようになっていく。
【００１３】
このように、正面から観察した場合と、観察方向を正面から変化した場合とで表示部にて認識される色彩が変化することで真偽判別が可能となる。
【発明の効果】
【００１４】
以上説明したように本発明においては、行列状に組み合わされて配列された第１及び第２の配色部からなる表示部と、表示部上に等間隔で行列状に配列された複数のエンボスとを有し、第１の配色部がエンボスの麓部またはエンボス間に配され、第２の配色部がエンボスの頂点を含む領域に配された構成としたため、正面から観察した場合は第１の配色部と第２の配色部とによる色彩が認識され、その後、観察方向を正面からどの方向に変化させた場合であっても、エンボスの麓部やエンボス間の領域がそのエンボスの観察方向側に隣接するエンボスによって隠れて見えなくなっていき、頂点を含む領域のみが見えるような状態となり、第１の配色部と第２の配色部とによる色彩であって、正面から観察した場合と比べて第２の配色部の割合が大きな色彩が認識されることとなり、正面から観察した場合と観察方向を正面から変化させた場合とで表示部にて認識される色彩が変化し、観察方向に制限されることなく真偽判別を容易に行うことができる。
【００１５】
また、基材表面に行列状に組み合わされて配列された第１及び第２の配色部からなる表示部と、表示部上に等間隔で行列状に配列された複数のエンボスとを有し、複数のエンボスが、基材表面に平行な任意の中心線にて分離される２つの領域のそれぞれで第１の配色部と第２の配色部との面積が互いに異なるように配された構成としたものにおいては、正面から観察した場合は第１の配色部と第２の配色部とによる色彩が認識され、その後、観察方向を正面から変化させた場合、エンボスの頂点領域を含む観察方向のみが見えるような状態となっていき、観察方向における第１の配色部と第２の配色部との面積の割合に応じた色彩が認識されることとなり、正面から観察した場合と観察方向を正面から変化させた場合とで表示部にて認識される色彩が変化し、観察方向に制限されることなく真偽判別を容易に行うことができるとともに、観察方向によって認識される色彩が異なり、これによっても真偽判別を行うことができる。
【発明を実施するための最良の形態】
【００１６】
以下に、本発明の実施の形態について図面を参照して説明する。
【００１７】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は（ｂ）に示したエンボス１４ａの構成を示す図、（ｅ）は（ｂ）に示したエンボス１４ｂの構成を示す図である。
【００１８】
本形態の偽造防止シート１は図１に示すように、紙からなるシート基材２の一部の領域に偽造防止構造１０が設けられて構成されている。シート基材２は、平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による情報が見にくくならないようにする必要がある。
【００１９】
シート基材２に設けられた偽造防止構造１０は図１（ｂ）に示すように、２つの表示部１１ａ，１１ｂが設けられるとともに、この表示部１１ａ，１１ｂ上に複数のエンボス１４ａ，１４ｂがそれぞれ行列状に形成されている。表示部１１ａは、白色からなる第１の配色部１２ａと黒色からなる第２の配色部１３ａとが行列状に組み合わされて構成されており、また、表示部１１ｂは、黒色からなる第１の配色部１２ｂと白色からなる第２の配色部１３ｂとが行列状に組み合わされて構成されている。エンボス１４ａ，１４ｂは、図１（ｃ）〜（ｅ）に示すように、円錐から頂点の部分が取り除かれた形状であって、シート基材２をエンボス版等で平面部３側から０．０２〜０．１ｍｍ程度窪ませることにより側面１６ａ，１６ｂが形成され、平面部３との同一面が頂点となる頂部１５ａ，１５ｂとなっている。そして、この頂部１５ａ，１５ｂからシート基材２の窪み方向に向かうに従ってその断面積が徐々に広くなり、エンボス１４ａ，１４ｂの底部においては、直径が０．５ｍｍ以下の円形状となっている。
【００２０】
エンボス１４ａは、２つの配色部１２ａ，１３ａが組み合わされてなる表示部１１ａ上に等間隔で行列状に形成されており、２つの配色部１２ａ，１３ａのうち、白色からなる配色部１２ａがエンボス１４ａの側面１６ａから麓部及びエンボス１４ａ間にかけて配され、また、黒色からなる配色部１３ａがエンボス１４ａの頂部１５ａ及び側面１６ａの一部に配されている。また、エンボス１４ｂは、２つの配色部１２ｂ，１３ｂが組み合わされてなる表示部１１ｂ上に等間隔で行列状に形成されており、２つの配色部１２ｂ，１３ｂのうち、黒色からなる配色部１２ｂがエンボス１４ｂの側面１６ｂから麓部及びエンボス１４ｂ間にかけて配され、また、白色からなる配色部１３ｂがエンボス１４ｂの頂部１５ｂ及び側面１６ｂの一部に配されている。
【００２１】
なお、本形態にて図示する偽造防止構造１０は、説明を簡単にするために９個のエンボス１４ａが３×３の行列状に形成され、それを取り囲むように５６個のエンボス１４ｂが形成されているが、その数を多くすればするほど、この偽造防止構造１０によって真偽判別を行うための情報を精細なものとすることができ、真偽判別を行うための情報となる文字等が複雑な形状のものであっても、その文字等を構成する複数の直線や曲線等を表現しやすくなる。
【００２２】
以下に、上記のように構成された偽造防止シート１の製造方法について説明する。
【００２３】
まず、シート基材２の偽造防止構造１０が設けられる領域に、配色部１２ｂ，１３ａを黒色で印刷する。この配色部１２ｂ，１３ａの組み合わせは、偽造防止構造１０によって真偽判別を行うための情報に応じて予め設定されており、印刷データとして与えられる。また、これら配色部１２ｂ，１３ａの印刷は、上述したようなプレ印刷と同時に行ってもよいし、上述したプレ印刷を行った後に行ってもよい。
【００２４】
次に、配色部１２ｂ，１３ａが印刷された領域に、シート基材２の平面部３側からエンボス版を押し付けることにより複数のエンボス１４ａ，１４ｂを形成する。このエンボス版によるエンボス１４ａ，１４ｂのそれぞれのピッチと配色部１２ｂ，１３ａのピッチとは同一であって、エンボス１４ｂは配色部１２ｂ間をその中心として形成され、エンボス１４ａはその中心が配色部１３ａそれぞれの中心と重なるように形成される。
【００２５】
上述したようにして偽造防止シート１が製造され、その後、用途に応じた情報がシート基材２の情報印刷領域４に印刷されて使用されることになる。
【００２６】
以下に、上述した偽造防止シート１の作用について説明する。
【００２７】
まず、図１に示した偽造防止シート１を正面、すなわち、シート基材２の平面部３の法線方向から観察した場合の作用について説明する。
【００２８】
図２は、図１に示した偽造防止シート１を正面から観察した場合の作用を説明するための図であり、偽造防止構造１０の見え方を示す。
【００２９】
図１に示した偽造防止シート１を、正面、すなわち平面部３の法線方向から観察した場合、図２に示すように、偽造防止構造１０においては、配色部１２ａ，１３ｂが白色であるのに対して配色部１２ｂ，１３ａが黒色であることから、表示部１１ａにおいては、配色部１２ａの白色と配色部１３ａの黒色とによる色彩が認識され、また、表示部１１ｂにおいては、配色部１２ｂの黒色と配色部１３ｂの白色とによる色彩が認識される。この際、シート基材２の表示部１１ａ，１１ｂにはそれぞれ、エンボス１４ａ，１４ｂが形成されているが、偽造防止シート１を正面から観察した場合は、このエンボス１４ａ，１４ｂの突出方向から観察することになるため、配色部１２ａ，１２ｂ，１３ａ，１３ｂは観察方向から遮るものが存在せず、また、エンボス１４ａ，１４ｂが認識されにくく、表示部１１ａにおいては、配色部１２ａの白色と配色部１３ａの黒色とによる色彩が認識され、また、表示部１１ｂにおいては、配色部１２ｂの黒色と配色部１３ｂの白色とによる色彩が認識される。本形態においては、表示部１１ａにおいては、白色からなる配色部１２ａの面積が黒色からなる配色部１３ａの面積よりも大きいために淡い灰色に見え、表示部１１ｂにおいては、黒色からなる配色部１２ｂの面積が白色からなる配色部１３ｂの面積よりも大きいために濃い灰色に見える。
【００３０】
次に、図１に示した偽造防止シート１に対する観察方向を正面、すなわち、シート基材２の平面部３の法線方向から変化させていった場合の作用について説明する。
【００３１】
図３は、図１に示した偽造防止シート１に対する観察方向を正面から変化させていった場合の作用を説明するための図であり、（ａ）は表示部１１ａに形成されたエンボス１４ａについて側面方向から見た図、（ｂ）は表示部１１ｂに形成されたエンボス１４ｂについて側面方向から見た図、（ｃ）は偽造防止構造１０の見え方を示す図である。
【００３２】
図１に示した偽造防止シート１に対する観察方向を正面から変化させていくと、シート基材２の平面部３に対する観察方向のなす角度が鋭角になっていく。すると、図３（ａ），（ｂ）に示すように、複数のエンボス１４ａ，１４ｂの側面１６ａ，１６ｂから麓部及び複数のエンボス１４ａ，１４ｂ間に渡る領域が、そのエンボス１４ａ，１４ｂの観察方向側に隣接するエンボス１４ａ，１４ｂによって隠れて見えなくなっていき、頂部１５ａ，１５ｂのみが見えるような状態となる。
【００３３】
ここで、複数のエンボス１４ａ，１４ｂのうち、表示部１１ａに形成されたエンボス１４ａにおいては、図１（ｄ）に示したように、表示部１１ａを構成する配色部１２ａ，１３ａのうち白色からなる配色部１２ａがエンボス１４ａの側面１６ａから麓部及びエンボス１４ａ間にかけて配され、また、黒色からなる配色部１３ａがエンボス１４ａの頂部１５ａ及び側面１６ａの一部に配されているため、偽造防止シート１に対する観察方向を正面から変化させていき、エンボス１４ａの側面１６ａから麓部及び複数のエンボス１４ａ間に渡る領域が、そのエンボス１４ａの観察方向側に隣接するエンボス１４ａ，１４ｂによって隠れて見えなくなっていき、頂部１５ａのみが見えるような状態となると、配色部１３ａによる黒色は認識されるものの、配色部１２ａによる白色が認識されにくくなっていく。それにより、表示部１１ａにおいては、図３（ｃ）に示すように、配色部１２ａと配色部１３ａとによる色彩であって、正面から観察した場合と比べて配色部１３ａの割合が大きな色彩となる濃い灰色が認識されることとなる。
【００３４】
また、複数のエンボス１４ａ，１４ｂのうち、表示部１１ｂに形成されたエンボス１４ｂにおいては、図１（ｅ）に示したように、表示部１１ｂを構成する配色部１２ｂ，１３ｂのうち黒色からなる配色部１２ｂがエンボス１４ｂの側面１６ｂから麓部及びエンボス１４ｂ間にかけて配され、また、白色からなる配色部１３ｂがエンボス１４ｂの頂部１５ｂ及び側面１６ｂの一部に配されているため、偽造防止シート１に対する観察方向を正面から変化させていき、エンボス１４ｂの側面１６ｂから麓部及び複数のエンボス１４ｂ間に渡る領域が、そのエンボス１４ｂの観察方向側に隣接するエンボス１４ａ，１４ｂによって隠れて見えなくなっていき、頂部１５ｂのみが見えるような状態となると、配色部１３ｂによる白色は認識されるものの、配色部１２ｂによる黒色が認識されにくくなっていく。それにより、表示部１１ｂにおいては、図３（ｃ）に示すように、配色部１２ｂと配色部１３ｂとによる色彩であって、正面から観察した場合と比べて配色部１３ｂの割合が大きな色彩となる淡い灰色が認識されることとなる。
【００３５】
このように、偽造防止シート１を正面から観察した場合と、観察方向を正面から変化した場合とで表示部１１ａ，１１ｂにて認識される色彩が変化することで真偽判別が可能となる。なお、本形態においては、偽造防止シート１を正面から観察した場合と、観察方向を正面から変化した場合とで表示部１１ａ，１１ｂにおける色彩の濃淡が逆転することにより、真偽判別がさらに容易となる。また、配色部１２ａ，１３ａが行列状に配されてなる表示部１１ａと配色部１２ｂ，１３ｂが行列状に配されてなる表示部１１ｂのそれぞれに複数のエンボス１４ａ，１４ｂが行列状に形成されているため、偽造防止シート１に対する観察方向を正面からどの方向に変化させていった場合であっても上述したような作用が生じ、観察方向に制限されることなく真偽判別を行うことができるようになる。
【００３６】
上述した偽造防止シート１は、複写した場合、シート基材２の情報印刷領域４に印刷された情報や、シート基材２に印刷により行列状に設けられた配色部１２ａ，１２ｂ，１３ａ，１３ｂは複写されるものの、エンボス１４ａ，１４ｂまでは再現できない。そのため、複写物の観察方向を変えていった場合であっても、表示部１１ａ，１１ｂにて認識される色彩が変化せず、それにより、真偽判別を行うことが可能となる。また、エンボス１４ａ，１４ｂが、シート基材２の平面部３を窪ませることによって形成されているため、シート基材２を表裏から見た場合や、直接触れた場合において、エンボス１４ａ，１４ｂが認識されにくく、エンボス１４ａ，１４ｂが再現しにくいものとなり、偽造防止機能を向上させることができる。
【００３７】
（第２の実施の形態）
図４は、本発明の偽造防止媒体の第２の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は（ｂ）に示したエンボス１１４ａの平面図、（ｅ）は（ｂ）に示したエンボス１１４ｂの平面図、（ｆ）は（ｂ）に示したエンボス１１４ａの図中Ｃ方向から見た斜視図、（ｇ）は（ｂ）に示したエンボス１１４ｂの図中Ｃ方向から見た斜視図である。
【００３８】
本形態は図４に示すように、図１に示したものに対して、エンボス１１４ａ，１１４ｂの形成位置が図中Ｂ方向にずれている点のみが異なるものである。それにより、エンボス１１４ａにおいては図４（ｄ）に示すように、シート基材１０２の表面に平行な中心線にて分離された場合における一方の領域では、配色部１１３ａの面積が配色部１１２ａの面積よりも大きく、また、他方の領域では、配色部１１２ａの面積が配色部１１３ａの面積よりも大きいという、中心線にて分離される２つの領域のそれぞれで配色部１１２ａと配色部１１３ａとの面積が互いに異なるようになっている。なお、図４（ｄ）においては、図４（ｂ）中Ｃ方向からエンボス１１４ａを視認した場合の視認方向に直交する中心線を図示しているが、この中心線はシート基材１０２の表面に平行であればエンボス１１４ａにて任意に設定でき、エンボス１１４ａは、その任意に設定された中心線にて分離される２つの領域のそれぞれで配色部１１２ａと配色部１１３ａとの面積が互いに異なるようになっている。また、エンボス１１４ｂにおいては図４（ｅ）に示すように、シート基材１０２の表面に平行な中心線にて分離された場合における一方の領域では、配色部１１３ｂの面積が配色部１１２ｂの面積よりも大きく、また、他方の領域では、配色部１１２ｂの面積が配色部１１３ｂの面積よりも大きいという、中心線にて分離される２つの領域のそれぞれで配色部１１２ｂと配色部１１３ｂとの面積が互いに異なるようになっている。なお、図４（ｅ）においては、図４（ｂ）中Ｃ方向からエンボス１１４ｂを視認した場合の視認方向に直交する中心線を図示しているが、この中心線はシート基材１０２の表面に平行であればエンボス１１４ｂにて任意に設定でき、エンボス１１４ｂは、その任意に設定された中心線にて分離される２つの領域のそれぞれで配色部１１２ｂと配色部１１３ｂとの面積が互いに異なるようになっている。
【００３９】
以下に、上述した偽造防止シート１０１の作用について説明する。
【００４０】
まず、図４に示した偽造防止シート１０１を正面、すなわち、シート基材１０２の平面部１０３の法線方向から観察した場合の作用について説明する。
【００４１】
図５は、図４に示した偽造防止シート１０１を正面から観察した場合の作用を説明するための図であり、偽造防止構造１１０の見え方を示す。
【００４２】
図４に示した偽造防止シート１０１を、正面、すなわち平面部１０３の法線方向から観察した場合、図５に示すように、偽造防止構造１１０においては、配色部１１２ａ，１１３ｂが白色であるのに対して配色部１１２ｂ，１１３ａが黒色であることから、表示部１１１ａにおいては、配色部１１２ａの白色と配色部１１３ａの黒色とによる色彩が認識され、また、表示部１１１ｂにおいては、配色部１１２ｂの黒色と配色部１１３ｂの白色とによる色彩が認識される。この際、シート基材１０２の表示部１１１ａ，１１１ｂにはそれぞれ、エンボス１１４ａ，１１４ｂが形成されているが、偽造防止シート１０１を正面から観察した場合は、このエンボス１１４ａ，１１４ｂの突出方向から観察することになるため、配色部１１２ａ，１１２ｂ，１１３ａ，１１３ｂは観察方向から遮るものが存在せず、また、エンボス１１４ａ，１１４ｂが認識されにくく、表示部１１１ａにおいては、配色部１１２ａの白色と配色部１１３ａの黒色とによる色彩が認識され、また、表示部１１１ｂにおいては、配色部１１２ｂの黒色と配色部１１３ｂの白色とによる色彩が認識される。本形態においては、表示部１１１ａにおいては、白色からなる配色部１１２ａの面積が黒色からなる配色部１１３ａの面積よりも大きいために淡い灰色に見え、表示部１１１ｂにおいては、黒色からなる配色部１１２ｂの面積が白色からなる配色部１１３ｂの面積よりも大きいために濃い灰色に見える。
【００４３】
次に、図４に示した偽造防止シート１０１に対する観察方向を正面、すなわち、シート基材１０２の平面部１０３の法線方向から変化させていった場合の作用について説明する。
【００４４】
図６は、図４に示した偽造防止シート１０１に対する観察方向を正面から変化させていった場合の作用を説明するための図であり、（ａ）は図４（ｂ）中Ｃ方向から観察した場合のエンボス１１４ａの状態を示す図、（ｂ）は図４（ｂ）中Ｃ方向から観察した場合のエンボス１１４ｂの状態を示す図、（ｃ）は図４（ｂ）中Ｃ方向から観察した場合の偽造防止構造１１０全体の見え方を示す図、（ｄ）は図４（ｂ）中Ｂ方向から観察した場合のエンボス１１４ａの状態を示す図、（ｅ）は図４（ｂ）中Ｂ方向から観察した場合のエンボス１１４ｂの状態を示す図、（ｆ）は図４（ｂ）中Ｂ方向から観察した場合の偽造防止構造１１０全体の見え方を示す図である。なお、図６においては、本形態における作用をわかりやすくするためにエンボス１１４ａ，１１４ｂ以外の領域における配色部１１２ａ，１１２ｂ，１１３ａ，１１３ｂの記載を省略している。
【００４５】
図４に示した偽造防止シート１０１に対する観察方向を正面から図４（ｂ）中Ｃ方向に変化させていくと、複数のエンボス１１４ａ，１１４ｂのそれぞれの観察方向側、すなわち図４（ｂ）中Ｃ側の側面１１６ａ，１１６ｂと頂部１１５ａ，１１５ｂのみが見えるようになっていく。すると、図４（ｄ）に示したように、表示部１１１ａに形成された複数のエンボス１１４ａにおいては、図４（ｂ）中Ｃ方向から観察した場合の観察方向に直交する中心線にて分離された場合に観察方向側となる領域では、配色部１１３ａの面積が配色部１１２ａの面積よりも大きく、また、図４（ｅ）に示したように、表示部１１１ｂに形成された複数のエンボス１１４ｂにおいては、図４（ｂ）中Ｃ方向から観察した場合の観察方向に直交する中心線にて分離された場合に観察方向側となる領域では、配色部１１３ｂの面積が配色部１１２ｂの面積よりも大きいため、図６（ａ），（ｂ）に示すように、エンボス１１４ａとエンボス１１４ｂとでは、観察方向側の全体において配色部１１２ａ，１１２ｂ，１１３ａ，１１３ｂの色によって見える色が互いに異なることになる。具体的には、エンボス１１４ａを図４（ｂ）中Ｃ方向から観察した場合は、黒色からなる配色部１１３ａの面積が白色からなる配色部１１２ａの面積よりも大きいことから濃い灰色に見え、エンボス１１４ｂを図４（ｂ）中Ｃ方向から観察した場合は、白色からなる配色部１１３ｂの面積が黒色からなる配色部１１２ｂの面積よりも大きいことから淡い灰色に見えることになる。
【００４６】
それにより、図６（ｃ）に示すように、偽造防止構造１１０の全体としては、図４（ｂ）中Ｃ方向から観察した場合、表示部１１１ａが濃い灰色に見え、表示部１１１ｂが淡い灰色に見えるようになる。このように、偽造防止シート１０１を正面から観察した場合と、観察方向を正面から変化した場合とで表示部１１１ａ，１１１ｂにて認識される色彩が変化することで真偽判別が可能となる。
【００４７】
また、図４に示した偽造防止シート１０１に対する観察方向を正面から図４（ｂ）中Ｂ方向に変化させていくと、複数のエンボス１１４ａ，１１４ｂのそれぞれの観察方向側、すなわち図４（ｂ）中Ｂ側の側面１１６ａ，１１６ｂと頂部１１５ａ，１１５ｂのみが見えるようになっていく。すると、図４（ｄ）に示したように、表示部１１１ａに形成された複数のエンボス１１４ａにおいては、図４（ｂ）中Ｂ方向から観察した場合の観察方向に直交する中心線にて分離された場合に観察方向側となる領域においては、配色部１１２ａの面積が配色部１１３ａの面積よりも大きく、また、図４（ｅ）に示したように、表示部１１１ｂに形成された複数のエンボス１１４ｂにおいては、図４（ｂ）中Ｂ方向から観察した場合の観察方向に直交する中心線にて分離された場合に観察方向側となる領域においては、配色部１１２ｂの面積が配色部１１３ｂの面積よりも大きいため、図６（ｄ），（ｅ）に示すように、エンボス１１４ａとエンボス１１４ｂとでは、観察方向側の全体において配色部１１２ａ，１１２ｂ，１１３ａ，１１３ｂの色によって見える色が互いに異なることになる。具体的には、エンボス１１４ａを図４（ｂ）中Ｂ方向から観察した場合は、白色からなる配色部１１２ａの面積が黒色からなる配色部１１３ａの面積よりも大きいことから淡い灰色に見え、エンボス１１４ｂを図４（ｂ）中Ｂ方向から観察した場合は、黒色からなる配色部１１２ｂの面積が白色からなる配色部１１３ｂの面積よりも大きいことから濃い灰色に見えることになる。
【００４８】
それにより、図６（ｆ）に示すように、偽造防止構造１１０の全体としては、図４（ｂ）中Ｂ方向から観察した場合、表示部１１１ａが淡い灰色に見え、表示部１１１ｂが濃い灰色に見えるようになる。
【００４９】
このように本形態においては、偽造防止構造１１０を観察する方向によって、エンボス１１４ａについては配色部１１２ａと配色部１１３ａとの割合、エンボス部１１４ｂについては配色部１１２ｂと配色部１１３ｂとの割合に応じて視認される色彩が変化し、それによっても真偽判別を行うことができる。
【００５０】
（第３の実施の形態）
図７は、本発明の偽造防止媒体の第３の実施の形態となる偽造防止シートを示す図であり、（ａ）は全体の構成を示す図、（ｂ）は（ａ）に示した偽造防止構造２１０の詳細な構成を示す図、（ｃ）は（ｂ）に示したＡ−Ａ’断面図、（ｄ）は（ｂ）に示したエンボス２１４ａの構成を示す図、（ｅ）は（ｂ）に示したエンボス２１４ｂの構成を示す図である。
【００５１】
本形態は図７に示すように、図１に示したものに対して、エンボス２１４ａ，２１４ｂの形成位置がずれることにより、表示部２１１ａを構成する配色部２１２ａがエンボス２１４ａ間のみに配されるとともに、エンボス２１４ｂが表示部２１１ｂを構成する配色部２１３ｂに重なっている点のみが異なるものである。それにより、エンボス２１４ａにおいては図７（ｄ）に示すように、頂部２１５ａ及び側面２１６ａが配色部２１３ａのみからなり、また、エンボス２１４ｂにおいては図７（ｅ）に示すように、頂部２１５ｂ及び側面２１６ｂが配色部２１３ｂのみからなっている。
【００５２】
以下に、上述した偽造防止シート２０１の作用について説明する。
【００５３】
図７に示した偽造防止シート２０１を正面、すなわち、シート基材２０２の平面部２０３の法線方向から観察した場合は、第１及び第２の実施の形態にて示したものと同様に、エンボス２１４ａ，２１４ｂが認識されにくく、表示部２１１ａが配色部２１２ａ，２１３ａの組み合わせによって淡い灰色に見え、また、表示部２１１ｂが配色部２１２ｂ，２１３ｂの組み合わせによって濃い灰色に見える。
【００５４】
次に、図７に示した偽造防止シート２０１に対する観察方向を正面、すなわち、シート基材２０２の平面部２０３の法線方向から変化させていった場合の作用について説明する。
【００５５】
図８は、図７に示した偽造防止シート２０１に対する観察方向を正面から変化させていった場合の作用を説明するための図であり、（ａ）は表示部２１１ａに形成されたエンボス２１４ａについて側面方向から見た図、（ｂ）は表示部２１１ｂに形成されたエンボス２１４ｂについて側面方向から見た図、（ｃ）は偽造防止構造２１０の見え方を示す図である。
【００５６】
図７に示した偽造防止シート２０１に対する観察方向を正面から変化させていくと、シート基材２０２の平面部２０３に対する観察方向のなす角度が鋭角になっていく。すると、エンボス２１４ａ，２１４ｂにおいては、図８（ａ），（ｂ）に示すように、エンボス２１４ａ，２１４ｂの側面１１６ａ，１１６ｂから麓部及び複数のエンボス２１４ａ，２１４ｂ間に渡る領域が、そのエンボス２１４ａ，２１４ｂの観察方向側に隣接するエンボス２１４ａ，２１４ｂによって隠れて見えなくなっていき、頂部２１５ａ，２１５ｂのみが見えるような状態となる。
【００５７】
ここで、エンボス２１４ａが形成された表示部２１１ａにおいては、エンボス２１４ａの頂部２１５ａ及び側面２１６ａが白色の配色部２１３ａのみからなり、黒色の配色部２１２ａはエンボス２１４ａ間のみに配されているため、偽造防止シート２０１に対する観察方向を正面から変化させていき、エンボス２１４ａの側面２１６ａから麓部及び複数のエンボス２１４ａ間に渡る領域が、そのエンボス２１４ａの観察方向側に隣接するエンボス２１４ａ，２１４ｂによって隠れて見えなくなっていき、頂部２１５ａのみが見えるような状態となると、配色部２１３ａによる白色は認識されるものの、配色部２１２ａによる黒色が認識されなくなっていく。これにより、表示部２１１ａにおいては、図８（ｃ）に示すように、配色部２１３ａによる白色のみが認識されることとなる。
【００５８】
また、エンボス２１４ｂが形成された表示部２１１ｂにおいては、エンボス２１４ｂの頂部２１５ｂ及び側面２１６ｂが黒色の配色部２１３ｂのみからなり、白色の配色部２１２ｂはエンボス２１４ｂ間のみに配されているため、偽造防止シート２０１に対する観察方向を正面から変化させていき、エンボス２１４ｂの側面２１６ｂから麓部及び複数のエンボス２１４ｂ間に渡る領域が、そのエンボス２１４ｂの観察方向側に隣接するエンボス２１４ａ，２１４ｂによって隠れて見えなくなっていき、頂部２１５ｂのみが見えるような状態となると、配色部２１３ｂによる黒色は認識されるものの、配色部２１２ｂによる白色が認識されなくなっていく。これにより、表示部２１１ｂにおいては、図８（ｃ）に示すように、配色部２１３ｂによる黒色のみが認識されることとなる。
【００５９】
このように、本形態においても、偽造防止シート２０１を正面から観察した場合と、観察方向を正面から変化した場合とで表示部２１１ａ，２１１ｂにて認識される色彩が変化することで真偽判別が可能となる。また、配色部２１２ａ，２１３ａが行列状に配されてなる表示部２１１ａと配色部２１２ｂ，２１３ｂが行列状に配されてなる表示部２１１ｂのそれぞれに複数のエンボス２１４ａ，２１４ｂが行列状に形成されているため、偽造防止シート２０１に対する観察方向を正面からどの方向に変化させていった場合であっても上述したような作用が生じ、観察方向に制限されることなく真偽判別を行うことができるようになる。
【００６０】
（第４の実施の形態）
図９は、本発明の偽造防止媒体の第４の実施の形態となる偽造防止シートを示す図であり、（ａ）は全体の構成を示す図、（ｂ）は（ａ）に示した偽造防止構造３１０の詳細な構成を示す図、（ｃ）は（ｂ）に示したＡ−Ａ’断面図、（ｄ）は（ｂ）に示したエンボス３１４ａの構成を示す図、（ｅ）は（ｂ）に示したエンボス３１４ｂの構成を示す図である。
【００６１】
本形態は図９に示すように、図１に示したものに対して、エンボス３１４ａが形成された表示部３１１ａが白色からなる配色部３１２ａのみから構成されている点のみが異なるものである。それにより、エンボス３１４ａにおいては図９（ｄ）に示すように、頂部３１５ａ及び側面３１６ａが配色部３１２ａのみからなっている。
【００６２】
以下に、上述した偽造防止シート３０１の作用について説明する。
【００６３】
まず、図９に示した偽造防止シート３０１を正面、すなわち、シート基材３０２の平面部３０３の法線方向から観察した場合の作用について説明する。
【００６４】
図１０は、図９に示した偽造防止シート３０１を正面から観察した場合の作用を説明するための図であり、偽造防止構造３１０の見え方を示す。
【００６５】
図９に示した偽造防止シート３０１を、正面、すなわち平面部３０３の法線方向から観察した場合、図１０に示すように、偽造防止構造３１０においては、配色部３１２ａ，３１３ｂが白色であるのに対して配色部３１２ｂが黒色であることから、表示部３１１ａにおいては、配色部３１２ａの白色のみによる色彩が認識され、また、表示部３１１ｂにおいては、配色部３１２ｂの黒色と配色部３１３ｂの白色とによる色彩が認識される。この際、シート基材３０２の表示部３１１ａ，３１１ｂにはそれぞれ、エンボス３１４ａ，３１４ｂが形成されているが、偽造防止シート３０１を正面から観察した場合は、このエンボス３１４ａ，３１４ｂの突出方向から観察することになるため、配色部３１２ａ，３１２ｂ，３１３ｂは観察方向から遮るものが存在せず、また、エンボス３１４ａ，３１４ｂが認識されにくく、表示部３１１ａにおいては、配色部３１２ａの白色のみによる色彩が認識され、また、表示部３１１ｂにおいては、配色部３１２ｂの黒色と配色部３１３ｂの白色とによる色彩が認識されるだけである。本形態においては、表示部３１１ａにおいては、白色からなる配色部３１２ａのみであるために白色に見え、表示部３１１ｂにおいては、黒色からなる配色部３１２ｂの面積が白色からなる配色部３１３ｂの面積よりも広いために濃い灰色に見える。
【００６６】
次に、図９に示した偽造防止シート３０１に対する観察方向を正面、すなわち、シート基材３０２の平面部３０３の法線方向から変化させていった場合の作用について説明する。
【００６７】
図１１は、図９に示した偽造防止シート３０１に対する観察方向を正面から変化させていった場合の作用を説明するための図であり、（ａ）は表示部３１１ａに形成されたエンボス３１４ａについて側面方向から見た図、（ｂ）は表示部３１１ｂに形成されたエンボス３１４ｂについて側面方向から見た図、（ｃ）は偽造防止構造３１０の見え方を示す図である。
【００６８】
図９に示した偽造防止シート３０１に対する観察方向を正面から変化させていくと、シート基材３０２の平面部３０３に対する観察方向のなす角度が鋭角になっていく。すると、図１１（ａ），（ｂ）に示すように、複数のエンボス３１４ａ，３１４ｂの側面３１６ａ，３１６ｂから麓部及び複数のエンボス３１４ａ，３１４ｂ間に渡る領域が、そのエンボス３１４ａ，３１４ｂの観察方向側に隣接するエンボス３１４ａ，３１４ｂによって隠れて見えなくなっていき、頂部３１５ａ，３１５ｂのみが見えるような状態となる。
【００６９】
ここで、複数のエンボス３１４ａ，３１４ｂのうち、表示部３１１ａに形成されたエンボス３１４ａにおいては、図９（ｄ）に示したように、表示部３１１ａを構成する白色からなる配色部３１２ａのみからなるため、偽造防止シート３０１に対する観察方向を正面から変化させていき、エンボス３１４ａの側面３１６ａから麓部及び複数のエンボス３１４ａ間に渡る領域が、そのエンボス３１４ａの観察方向側に隣接するエンボス３１４ａによって隠れて見えなくなっていき、頂部３１５ａのみが見えるような状態となっても、配色部３１２ａによる白色のみが視認される。これにより、表示部３１１ａにおいては、図１１（ｃ）に示すように、配色部３１２ａによる白色が認識されることとなる。
【００７０】
また、複数のエンボス３１４ａ，３１４ｂのうち、表示部３１１ｂに形成されたエンボス３１４ｂにおいては、図９（ｅ）に示したように、表示部３１１ｂを構成する配色部３１２ｂ，３１３ｂのうち黒色からなる配色部３１２ｂがエンボス３１４ｂの側面３１６ｂから麓部及びエンボス３１４ｂ間にかけて配され、また、白色からなる配色部３１３ｂがエンボス３１４ｂの頂部３１５ｂ及び側面３１６ｂの一部に配されているため、偽造防止シート３０１に対する観察方向を正面から変化させていき、エンボス３１４ｂの側面３１６ｂから麓部及び複数のエンボス３１４ｂ間に渡る領域が、そのエンボス３１４ｂの観察方向側に隣接するエンボス３１４ｂによって隠れて見えなくなっていき、頂部３１５ｂのみが見えるような状態となると、配色部３１３ｂによる白色は認識されるものの、配色部３１２ｂによる黒色が認識されにくくなっていく。これにより、表示部３１１ｂにおいては、図１１（ｃ）に示すように、配色部３１２ｂと配色部３１３ｂとによる色彩であって、正面から観察した場合と比べて配色部３１３ｂの割合が大きな色彩となる淡い灰色が認識されることとなる。
【００７１】
このように、偽造防止シート３０１を正面から観察した場合と、観察方向を正面から変化した場合とで表示部３１１ｂにて認識される色彩が変化することで真偽判別が可能となる。この際、本形態においては、表示部３１１ａにて視認される色が、偽造防止シート３０１を正面から観察した場合と観察方向を正面から変化した場合とで配色部３１２ａによる白色で変化しないため、偽造防止シート３０１を正面から観察した場合と、観察方向を正面から変化した場合とによる表示部３１１ｂの色の変化を表示部３１１ａにて認識される白色を基準として明確に認識することができる。また、配色部３１２ａからなる表示部３１１ａと配色部３１２ｂ，３１３ｂが行列状に配されてなる表示部３１１ｂのそれぞれに複数のエンボス３１４ａ，３１４ｂが行列状に形成されているため、偽造防止シート３０１に対する観察方向を正面からどの方向に変化させていった場合であっても上述したような作用が生じ、観察方向に制限されることなく真偽判別を行うことができるようになる。
【００７２】
また、上述した４つの実施の形態においては、表示部１１ａ，１１１ａ，２１１ａ，３１１ａと、表示部１１ｂ，１１１ｂ，２１１ｂ，３１１ｂとの間にエンボスが設けられていないため、表示部１１ａ，１１１ａ，２１１ａ，３１１ａにて認識される色彩と、表示部１１ｂ，１１１ｂ，２１１ｂ，３１１ｂにて認識される色彩とを識別しやすくなる。
【００７３】
なお、上述した４つの実施の形態におけるエンボス１４ａ，１４ｂ，１１４ａ，１１４ｂ，２１４ａ，２１４ｂ，３１４ａ，３１４ｂの高さや平面部３，１０３，２０３，３０３から窪んだ底部の寸法については、上述したものに限らず、適宜設定が可能である。
【００７４】
また、エンボス１４ａ，１４ｂ，１１４ａ，１１４ｂ，２１４ａ，２１４ｂ，３１４ａ，３１４ｂにおいては、円柱形のものや頂部１５ａ，１５ｂ，１１５ａ，１１５ｂ，２１５ａ，２１５ｂ，３１５ａ，３１５ｂがない円錐形のものやドーム型のものとすることも考えられる。また、断面が矩形状となるものとすることも考えられる。また、シート基材２，１０２，２０２，３０２の平面部３，１０３，２０３，３０３を窪ませることによって形成されるものに限らず、シート基材２，１０２，２０２，３０２の平面部３，１０３，２０３，３０３から平面部３，１０３，２０３，３０３の法線方向に突出したものであってもよい。
【００７５】
また、配色部の形状については、上述した４つの実施の形態に示したような形状に限らず、ひし形等、適宜な形状のものを用いることができる。
【００７６】
また、第１の配色部と第２の配色部の色は、上述したように白色と黒色に限らず、互いに異なるものであれば適宜の色を適用することができる。なお、第１の配色部と第２の配色部の色として、例えば赤色と青色等というように黒色を用いない方が、第１の配色部と第２の配色部との面積の割合による色彩の変化が認識しやすい。
【００７７】
また、上述した４つの実施の形態においては、偽造防止媒体として、紙からなるシート基材２，１０２，２０２，３０２に偽造防止構造１０，１１０，２１０，３１０が設けられた偽造防止シート１，１０１，２０１，３０１を例に挙げて説明したが、本発明はこのような偽造防止シート１，１０１，２０１，３０１に限らず、フィルムからなるシート基材や複数の樹脂層が積層されてなるカード基材に上述したような偽造防止構造１０，１１０，２１０，３１０を設けたものにも適用することが可能である。
【図面の簡単な説明】
【００７８】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したエンボスの構成を示す図、（ｅ）は（ｂ）に示したエンボスの構成を示す図である。
【図２】図１に示した偽造防止シートを正面から観察した場合の作用を説明するための図である。
【図３】図１に示した偽造防止シートに対する観察方向を正面から変化させていった場合の作用を説明するための図であり、（ａ）は表示部に形成されたエンボスについて側面方向から見た図、（ｂ）は表示部に形成されたエンボスについて側面方向から見た図、（ｃ）は偽造防止構造の見え方を示す図である。
【図４】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したエンボスの平面図、（ｅ）は（ｂ）に示したエンボスの平面図、（ｆ）は（ｂ）に示したエンボスの図中Ｃ方向から見た斜視図、（ｇ）は（ｂ）に示したエンボスの図中Ｃ方向から見た斜視図である。
【図５】図４に示した偽造防止シートを正面から観察した場合の作用を説明するための図である。
【図６】図４に示した偽造防止シートに対する観察方向を正面から変化させていった場合の作用を説明するための図であり、（ａ）は図４（ｂ）中Ｃ方向から観察した場合のエンボスの状態を示す図、（ｂ）は図４（ｂ）中Ｃ方向から観察した場合のエンボスの状態を示す図、（ｃ）は図４（ｂ）中Ｃ方向から観察した場合の偽造防止構造全体の見え方を示す図、（ｄ）は図４（ｂ）中Ｃ方向から観察した場合のエンボスの状態を示す図、（ｅ）は図４（ｂ）中Ｂ方向から観察した場合のエンボスの状態を示す図、（ｆ）は図４（ｂ）中Ｂ方向から観察した場合の偽造防止構造全体の見え方を示す図である。
【図７】本発明の偽造防止媒体の第３の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したエンボスの構成を示す図、（ｅ）は（ｂ）に示したエンボスの構成を示す図である。
【図８】図７に示した偽造防止シートに対する観察方向を正面から変化させていった場合の作用を説明するための図であり、（ａ）は表示部に形成されたエンボスについて側面方向から見た図、（ｂ）は表示部に形成されたエンボスについて側面方向から見た図、（ｃ）は偽造防止構造の見え方を示す図である。
【図９】本発明の偽造防止媒体の第４の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は（ｂ）に示したエンボスの構成を示す図、（ｅ）は（ｂ）に示したエンボスの構成を示す図である。
【図１０】図９に示した偽造防止シートを正面から観察した場合の作用を説明するための図である。
【図１１】図９に示した偽造防止シートに対する観察方向を正面から変化させていった場合の作用を説明するための図であり、（ａ）は表示部に形成されたエンボスについて側面方向から見た図、（ｂ）は表示部に形成されたエンボスについて側面方向から見た図、（ｃ）は偽造防止構造の見え方を示す図である。
【符号の説明】
【００７９】
１，１０１，２０１，３０１    偽造防止シート
２，１０２，２０２，３０２    シート基材
３，１０３，２０３，３０３    平面部
４，１０４，２０４，３０４    情報印刷領域
１０，１１０，２１０，３１０    偽造防止構造
１１ａ，１１ｂ，１１１ａ，１１１ｂ，２１１ａ，２１１ｂ，３１１ａ，３１１ｂ    表示部
１２ａ，１２ｂ，１３ａ，１３ｂ，１１２ａ，１１２ｂ，１１３ａ，１１３ｂ，２１２ａ，２１２ｂ，２１３ａ，２１３ｂ，３１２ａ，３１２ｂ，３１３ｂ    配色部
１４ａ，１４ｂ，１１４ａ，１１４ｂ，２１４ａ，２１４ｂ，３１４ａ，３１４ｂ    エンボス
１５ａ，１５ｂ，１１５ａ，１１５ｂ，２１５ａ，２１５ｂ，３１５ａ，３１５ｂ    頂部
１６ａ，１６ｂ，１１６ａ，１１６ｂ，２１６ａ，２１６ｂ，３１６ａ，３１６ｂ    側面
【図１】
0005022890.tif 000002
【図２】
0005022890.tif 000003
【図３】
0005022890.tif 000004
【図４】
0005022890.tif 000005
【図５】
0005022890.tif 000006
【図６】
0005022890.tif 000007
【図７】
0005022890.tif 000008
【図８】
0005022890.tif 000009
【図９】
0005022890.tif 000010
【図１０】
0005022890.tif 000011
【図１１】
0005022890.tif 000012